(57)【特許請求の範囲】
【請求項１】
スタンド台と、反射光が色光を呈する着色を施したセードを有して前記スタンド台に支持された灯具とを備え、前記セードは、前記反射光を形成する反射面に拡散性塗装または拡散性処理を施すことにより多数の凹凸を形成し、その上にクリア塗装を施した電気スタンド。
【請求項２】
スタンド台と、反射光が色光を呈する着色を施したセードを有して前記スタンド台に支持された灯具とを備え、前記セードは、前記反射光を形成する反射面にメタリック調塗装を施すことにより多数の凹凸を形成し、その上にクリア塗装を施した電気スタンド。
【発明の詳細な説明】
【０００１】
【発明の属する技術分野】
本発明は、ランプ光を反射させるためのセードを有する電気スタンドに関するものである。
【０００２】
【従来の技術】
従来は、ランプ光が、着色されたセードの反射面で反射することにより、反射光そのものにセードの塗装色もしくはセードの生地の色が反映されることを防止するために、図７および図８に示すようにしていた。すなわち、セード５０の内面すなわちランプ５２の取付面側には白色樹脂、もしくは、白色に塗装を施した反射板５１を配置し、反射板５１に反射するランプ光を白色に維持して、被照射面である紙面や机上面にセード５０の色が映らない様に配慮していた。
【０００３】
また、部品点数を削減するため、図９に示すようにセード５３を白色系の材料で形成し、ランプ光の反射面のみマスキングを施して白色面を残すようにセード５３に塗装（斜線）５４を施すことで、被照射面にセードの色が映らない様に配慮していた。
【０００４】
さらには、より一層コストを削減するためにセードに反射板を設けず、さらにはマスキングの塗装も施さず、セードを形成する材料の色がそのまま被照射面に映ってしまうものもあった。
【０００５】
【発明が解決しようとする課題】
本発明の目的は、ランプ光が着色されたセードの反射面で反射することにより、反射光そのものにセードの色もしくはセードの生地の色が反映される現象を防止するための手段として、反射板の配置やマスキング塗装によることなく、被照射面へセードの色が映り込む現象を低減させることのできる、電気スタンドを提供することである。
【０００６】
【課題を解決するための手段】
請求項１記載の電気スタンドは、スタンド台と、反射光が色光を呈する着色を施したセードを有して前記スタンド台に支持された灯具とを備え、前記セードは、前記反射光を形成する反射面に拡散性塗装または拡散性処理を施すことにより多数の凹凸を形成し、その上にクリア塗装を施したものである。
【０００７】
請求項１記載の電気スタンドによれば、セードの内面であるランプ取付面にクリア塗装を施すことにより、セードに入射するランプ光の一部はクリア塗装面で透過することなく反射し、残部はセードの表面に入射しそこで反射するが、クリア塗装の表面でさらに一部が臨界角反射してランプ側に透過せずその残部がランプ側に透過する。さらにセード自体の反射光が拡散反射することにより、クリア塗装表面で臨界角反射する光が増大するので、より一層セードの色の反映を防止することができる。その結果、ランプ光のセード側からの反射光はセードの色の反映した光が大幅に低減できる。
【００１０】
請求項２記載の電気スタンドは、スタンド台と、反射光が色光を呈する着色を施したセードを有して前記スタンド台に支持された灯具とを備え、前記セードは、前記反射光を形成する反射面にメタリック調塗装を施すことにより多数の凹凸を形成し、その上にクリア塗装を施したものである。
【００１１】
請求項２記載の電気スタンドによれば、請求項１と同様な効果がある。
【００１２】
【発明の実施の形態】
以下、本発明の実施の形態について図面に基づき説明する。
【００１３】
（実施の形態1 ）
この発明の第１の実施の形態の電気スタンドを図１から図３により説明する。１はスタンド台、２は支柱、３は灯具である。スタンド台１に点灯回路の回路基板を内蔵し、コンセント（図示せず）および点灯スイッチ４を設け、かつ電源線を導入している。支柱２は下端部がスタンド台１に垂直回動自在な自在器５により連結され、上端部は灯具３の後端部を垂直回動および水平回動自在に構成された自在器６により連結している。
【００１４】
灯具３はセード７と、セード７に保持されたランプソケット（図示せず）と、ランプソケットに装着されたランプ８例えば片口金ランプを有する。セード７は樹脂または金属等により形成され、セード全体の表面にクリア塗装９を施してある。セード７は例えばセード生地面の構成樹脂材料として超耐熱ABS （Sumitomo Chemical 製、TPI スミカ  スミトモKU600R1 ）などを用いる。またクリア塗装９は例えばアクリル系樹脂塗料（NIPPON PAINT(THAILAND)製、Nax Acrykic 320# 09 T/C Clear ）などを用いる。
【００１５】
セード内面のクリア塗装９の表面において、ランプ８からの光Ｌ１のうち臨界角を超えるものが全反射Ｌ２を起こし残りは透過するため、セード自体に光が届きにくくなる。またクリア塗装９を透過しセード７の表面に入射しそこで反射してもクリア塗装９の表面でさらに一部が臨界角反射してランプ８側に透過しない。これらにより、ランプ８の反射光にセード自体の色が反映されにくくなる効果がある。
【００１６】
本発明の電気スタンドによれば、反射板等のランプ光反射用の部品を必要としないため、部品点数を削減することが可能になるので、コストおよび組立工数の低減に寄与することができる。また上述のようにランプ光反射の部品を必要としないため、セード形状の設計の自由度が増す。さらに比較的容易な技術により実現可能であり応用範囲が広く実施できる。
【００１７】
なお、セード全体でなく内面すなわちランプ８に向く面のみクリア塗装しても良い。
【００１８】
（実施の形態2 ）
この発明の第２の実施の形態の説明を図４および図５に示す。第１の実施の形態において、セード７の反射面に、つや消し着色塗装等の拡散性塗装や、シボ加工処理などの拡散性処理１０を施した上に、クリア塗装９を施したものである。図４（ｂ）はセード７の表面にシボ加工処理を施したもので、その表面に多数の凹凸が形成される。図５はセード７の表面につや消し着色塗装等の拡散性塗装１１を施したもので、その表面に多数の凹凸が形成される。
【００１９】
ランプ光Ｌ１の一部はクリア塗装９の表面で全反射Ｌ２を起こすが、残部の透過したランプ光Ｌ３はセード７の着色面へ到達する。セード７の着色面（反射面）に到達した光Ｌ３は、拡散性処理面で乱反射を起こし、着色反射光Ｌ４として、クリア塗装９の面から被照射面へと照射されようとするが、その反射光Ｌ５はクリア塗装９の層と空気層の屈折率の違いから反射の臨界角を超える反射光が増大し臨界角以下の反射光がクリア塗装層より外にでることができる。その結果、着色面での反射光のうち臨界角を超える反射光は被照射面に到達できなくなるため、被照射面への色の映り込みがより低減されるものである。
【００２０】
（実施の形態3 ）
この発明の第３の実施の形態を図６に示す。第１の実施の形態において、セード７の反射面に、拡散性塗装であるメタリック調塗装１２を施した上に、クリア塗装９を施したものである。メタリック調塗装９は金属粉を含有しているために、塗装面に多数の凹凸が形成される。
【００２１】
ランプ光Ｌ１の一部はクリア塗装９の表面で全反射を起こすが、残部の透過したランプ光Ｌ３はセード７のメタリック調塗装１１の面へ到達する。セード７の着色面（反射面）に到達した光Ｌ３は、メタリック調塗装９の面により乱反射を起こし、着色反射光Ｌ４として、クリア塗装面から被照射面へと照射されようとするが、その反射光はクリア塗装層と空気層の屈折率の違いから反射の臨界角を超える反射光が増大し、臨界角以下の反射光がクリア塗装９の層より外に出ることができる。その結果、着色面での反射光のうち臨界角を超えるものは被照射面に到達できなくなるため、被照射面への色の映り込みがより低減されるものである。
【００２２】
上記の拡散性塗料としては例えば、アクリル系樹脂塗料（NIPPON PAINT(THAILAND)）などを用いるが、金属粉ないし粒度の高い粉末状材料を含有する塗料であれば可能である。
【００２３】
なお、本発明において、セード７の材質（樹脂、金属等）、樹脂成形の場合その基となる樹脂材料の色、セード７の反射面の色（セードの外観の色を含む）を限定するものではなく、ランプ光の反射面にクリア塗装９を施したものであれば良い。例えば、第２の実施の形態ではセード７の反射面に拡散性の処理（反射面へのシボ加工処理、つや消しの塗装など）を施した後、その上からクリア塗装９を施したものであれば良い。
【００２４】
第３の実施の形態も、セード７の反射面にメタリック調塗装を施した後、その上からクリア塗装９を施したものであれば良い。
【００２５】
【発明の効果】
請求項１記載の電気スタンドによれば、セードの内面であるランプ取付面にクリア塗装を施すことにより、セードに入射するランプ光の一部はクリア塗装面で透過することなく反射し、残部はセードの表面に入射しそこで反射するが、クリア塗装の表面でさらに一部が臨界角反射してランプ側に透過せずその残部がランプ側に透過する。さらにセード自体の反射光が拡散反射することにより、クリア塗装表面で臨界角反射する光が増大するので、より一層セードの色の反映を防止することができる。その結果、ランプ光のセード側からの反射光はセードの色の反映した光が大幅に低減できる。
【００２７】
請求項２記載の電気スタンドによれば、請求項１と同様な効果がある。
【図面の簡単な説明】
【図１】この発明の第１の実施の形態の斜視図である。
【図２】その灯具の部分斜視図である。
【図３】その拡大断面図である。
【図４】第２の実施の形態を示し、（ａ）は灯具の断面図、（ｂ）はセード表面を拡散性表面処理をした状態の部分断面図である。
【図５】セード表面に拡散性塗装により処理を施した状態の部分断面図である。
【図６】第３の実施の形態を示し、（ａ）は灯具の断面図、（ｂ）はセード表面に拡散性塗装を施した状態の部分断面図である。
【図７】従来例のセードの斜視図である。
【図８】その分解斜視図である。
【図９】（ａ）はセードの斜視図、（ｂ）はその断面図である。
【符号の説明】
１    スタンド台
３    灯具
７    セード
９    クリア塗装
１０    拡散性処理
１１    拡散性塗装
１２    メタリック調塗装
【図１】
0004089243.tif 000002
【図２】
0004089243.tif 000003
【図３】
0004089243.tif 000004
【図４】
0004089243.tif 000005
【図５】
0004089243.tif 000006
【図６】
0004089243.tif 000007
【図７】
0004089243.tif 000008
【図８】
0004089243.tif 000009
【図９】
0004089243.tif 000010